(57)【要約】    【課題】  より精度良くスランプを測定し得るスランプ試験用シートを提供することにある。    【解決手段】  スランプコーン内のフレッシュコンクリートの上面に配されるようにスランプコーンの上端開口部内に収まる大きさに形成されてなり、スランプコーン内のフレッシュコンクリートの上面に配された際に該上面の中央部を示すシート目印が設けられてなることを特徴とするスランプ試験用シートを提供する。【選択図】  図１
2010276413.tif 000002
【特許請求の範囲】
【請求項１】
スランプコーン内のフレッシュコンクリートの上面に配されるようにスランプコーンの上端開口部内に収まる大きさに形成されてなり、スランプコーン内のフレッシュコンクリートの上面に配された際に該上面の中央部を示すシート目印が設けられてなることを特徴とするスランプ試験用シート。
【請求項２】
前記シート目印として開口部が設けられてなる請求項１記載のスランプ試験用シート。
【請求項３】
前記シート目印として、着色剤が塗布され得るように形成された中央部が備えられてなる請求項１記載のスランプ試験用シート。
【請求項４】
請求項１〜３の何れかに記載のスランプ試験用シートと、スランプコーンと、スランプコーンにフレッシュコンクリートを詰める際にスランプコーンが設置されるスランプ板とを備えてなるスランプ試験器具。
【請求項５】
前記スランプ板には２本の交わる直線が表示されてなり、該２本の交わる直線の交差点がスランプコーンの設置位置の中心点を指し示し得る請求項４記載のスランプ試験器具。
【請求項６】
前記スランプ板には、前記交わる直線に平行し且つ該交わる直線の両側に所定間隔を有するように配された平行直線がそれぞれ表示されてなる請求項５記載のスランプ試験器具。
【請求項７】
前記スランプ板には、前記スランプコーンの下端の外周と同じ大きさであり且つ前記交差点が中心となる円が表示されてなる請求項５又は６記載のスランプ試験器具。
【請求項８】
スランプコーンの上端開口部に合わされたフレッシュコンクリートの上面に請求項１〜３の何れかに記載のスランプ試験用シートを配し前記スランプコーンを鉛直に引き抜いて、フレッシュコンクリートのスランプを測定するスランプ試験方法。
【発明の詳細な説明】
【技術分野】
【０００１】
本発明は、スランプ試験用シート、該スランプ試験用シートを備えてなるスランプ試験器具、及び該スランプ試験器具を用いてフレッシュコンクリートのスランプを測定するスランプ試験方法に関する。
【背景技術】
【０００２】
従来より、フレッシュコンクリートのワーカビリティーを評価すべく、ＪＩＳ  Ａ  １１０１「コンクリートのスランプ試験方法」に規定されている試験が実施されている。
【０００３】
斯かる試験は、スランプコーンと呼ばれる試験用の入れ物を用いてフレッシュコンクリートの流動性を調べる試験である。図４、５に示すように、斯かる試験で用いられるスランプコーン１０１は、裁頭円錐形状且つ中空状であり、上端及び下端に開口部が形成され、上端の内径が１００ｍｍ、下端の内径が２００ｍｍ、高さが３００ｍｍとなるように形成されてなる。
斯かる試験は、具体的には、図６に示すように、スランプコーン１０１をスランプ板１０２上に載置し、該スランプコーン１０１の上端開口部１０１ａからフレッシュコンクリート１０３を詰めて該スランプコーン１０１に詰められたフレッシュコンクリート１０３の上面を前記上端開口部１０１ａに合わせる工程（図６（ａ））と、該フレッシュコンクリート１０３が詰められたスランプコーン１０１を鉛直に引き抜き、該引き抜きによるフレッシュコンクリート１０３の上面の中央部の下がり幅（スランプ）を測定する工程（図６（ｂ））とを実施する。
また、斯かる試験では、スランプコーン１０１にフレッシュコンクリート１０３を詰める際にスランプコーン１０１が設置される中心軸に対して、フレッシュコンクリート１０３の上面の中央部が基準範囲（例えば、該中心軸から５ｃｍ以内）から外れた場合には、再試験を実施するのが一般的である。
【発明の概要】
【発明が解決しようとする課題】
【０００４】
しかしながら、斯かる従来の試験方法では、スランプコーン１０１を引き抜いた際のフレッシュコンクリート１０３の崩れ方が歪な場合にこの引き抜き後のフレッシュコンクリート１０３の上面の中央部の位置が判別し難いため、スランプを精度良く測定することが難しいという問題がある。
また、引き抜き後のフレッシュコンクリート１０３の上面の中央部の位置が判別し難いと、フレッシュコンクリート１０３の上面の中央部と前記中心軸との間の距離の把握も難しいため、フレッシュコンクリート１０３の上面の中央部が基準範囲（例えば、該中心軸から５ｃｍ以内）から外れた状態において測定したスランプを採用してしまう虞もあり、この点からもスランプを精度良く測定することが難しいという問題がある。
【０００５】
本発明は、上記問題点に鑑み、より精度良くスランプを測定し得るスランプ試験用シート、スランプ試験器具、及びスランプ試験方法を提供することを課題とする。
【課題を解決するための手段】
【０００６】
本発明は、スランプコーン内のフレッシュコンクリートの上面に配されるようにスランプコーンの上端開口部内に収まる大きさに形成されてなり、スランプコーン内のフレッシュコンクリートの上面に配された際に該上面の中央部を示すシート目印が設けられてなることを特徴とするスランプ試験用シートにある。
【０００７】
斯かるスランプ試験用シートによれば、スランプコーンの上端開口部に合わされたフレッシュコンクリートの上面に該スランプ試験用シートを配し該スランプコーンを鉛直に引き抜くことにより、スランプコーンを引き抜いた後においても該上面に該スランプ試験用シートが留まり得るため、該上面の中央部の上部にシート目印が留まり、該中央部の位置がより精度良く判別され得る。従って、斯かるスランプ試験用シートによれば、より精度良くスランプが測定され得る。
【０００８】
また、本発明に係るスランプ試験用シートにおいては、好ましくは、前記シート目印として開口部が設けられてなる。
【０００９】
斯かるスランプ試験用シートによれば、スランプコーンの上端開口部に合わされたフレッシュコンクリートの上面に該スランプ試験用シートを配し該スランプ試験用シートを配したまま該スランプコーンを鉛直に引き抜く場合には、前記シート目印としての開口部からフレッシュコンクリートの上面の中央部の位置に、スランプを測定する測定器具等を直接当接させることができるため、より一層精度良くスランプを測定し得るという利点がある。
また、斯かるスランプ試験用シートによれば、スランプコーンの上端開口部に合わされたフレッシュコンクリートの上面に該スランプ試験用シートを配した後に、前記シート目印としての開口部からフレッシュコンクリートに着色剤を塗布すれば、該着色剤によりフレッシュコンクリートの上面の中央部に直接目印を付けることができるため、フレッシュコンクリートの上面の中央部の位置に、スランプを測定する測定器具等を直接当接させることができるため、より一層精度良くスランプを測定し得るという利点がある。また、フレッシュコンクリートの上面の中央部に直接目印を付けずにフレッシュコンクリートの上面に該スランプ試験用シートを配したまま該スランプコーンを鉛直に引き抜く場合と異なり、該スランプコーンを鉛直に引き抜いた際にフレッシュコンクリートの上面の中央部の位置からシート目印がずれてしまって該中央部の位置が判別できなくなってしまうということがないため、より一層精度良くスランプを測定し得るという利点がある。
【００１０】
さらに、本発明に係るスランプ試験用シートにおいては、好ましくは、前記シート目印１１として、着色剤が塗布され得るように形成された中央部が備えられてなる。
【００１１】
斯かるスランプ試験用シートによれば、前記シート目印に着色剤を塗布し、該着色剤が塗布された部分がフレッシュコンクリートに接するように、スランプコーンの上端開口部に合わされたフレッシュコンクリートの上面に該スランプ試験用シートを配置すれば、フレッシュコンクリートの上面の中央部に直接目印を付けることができるため、フレッシュコンクリートの上面の中央部の位置に、スランプを測定する測定器具等を直接当接させることができるため、より一層精度良くスランプを測定し得るという利点がある。また、フレッシュコンクリートの上面の中央部に直接目印を付けずにフレッシュコンクリートの上面に該スランプ試験用シートを配したまま該スランプコーンを鉛直に引き抜く場合と異なり、該スランプコーンを鉛直に引き抜いた際にフレッシュコンクリートの上面の中央部の位置からシート目印がずれてしまって該中央部の位置が判別できなくなってしまうということがないため、より一層精度良くスランプを測定し得るという利点がある。
【００１２】
また、本発明は、前記スランプ試験用シートと、スランプコーンと、スランプコーンにフレッシュコンクリートを詰める際にスランプコーンが設置されるスランプ板とを備えてなるスランプ試験器具にある。
【００１３】
また、本発明に係るスランプ試験器具においては、好ましくは、前記スランプ板には２本の交わる直線が表示されてなり、該２本の交わる直線の交差点がスランプコーンの設置位置の中心点を指し示し得る。
【００１４】
斯かるスランプ試験器具によれば、スランプコーンを引き抜いた後のフレッシュコンクリートの上面の中央部と、スランプコーンを引き抜く前のスランプコーンの中心軸との位置関係の把握がより一層容易となり、該中央部と該中心軸との間の距離の把握がより一層容易となるため、フレッシュコンクリートの上面の中央部が基準範囲（例えば、該中心軸から５ｃｍ以内）から外れた状態において測定したスランプを採用してしまう虞を抑制することができ、より一層精度良くスランプを測定し得るという利点がある。
また、斯かるスランプ試験器具によれば、不要に再試験をしてしまうことが抑制され、作業性が向上され得るという利点もある。
【００１５】
前記スランプ板に前記交わる直線が表示されてなるスランプ試験器具においては、好ましくは、前記スランプ板に、前記交わる直線に平行し且つ該交わる直線の両側に所定間隔を有するように配された平行直線がそれぞれ表示されてなる。
【００１６】
斯かるスランプ試験器具によれば、前記所定間隔が基準範囲の幅と同じであれば、前記中央部と前記中心軸との距離が基準範囲内に収まっているか否かの把握がより一層容易となるため、フレッシュコンクリートの上面の中央部が基準範囲から外れた状態において測定したスランプを採用してしまう虞を抑制することができ、より一層精度良くスランプを測定し得るという利点がある。
また、斯かるスランプ試験器具によれば、不要に再試験をしてしまうことがより一層抑制され、作業性がより一層向上され得るという利点もある。
【００１７】
また、前記スランプ板に前記交わる直線が表示されてなるスランプ試験器具においては、好ましくは、前記スランプ板に、前記スランプコーンの下端の外周と同じ大きさであり且つ前記交差点が中心となる円が表示されてなる。
【００１８】
斯かるスランプ試験器具によれば、前記交差点がスランプコーンの設置位置の中心点となるように前記スランプ板上に前記スランプコーンをより一層正確に設置し得るため、前記中央部と前記中心軸との間の距離をより一層正確に把握でき、該中央部が基準範囲から外れた状態において測定したスランプを採用してしまう虞をより一層抑制することができ、より一層精度良くスランプを測定し得るという利点がある。
また、斯かるスランプ試験器具によれば、不要に再試験をしてしまうことがより一層抑制され、作業性がより一層向上され得るという利点もある。
【００１９】
さらに、本発明は、スランプコーンの上端開口部に合わされたフレッシュコンクリートの上面に前記スランプ試験用シートを配し前記スランプコーンを鉛直に引き抜いて、フレッシュコンクリートのスランプを測定するスランプ試験方法にある。
【発明の効果】
【００２０】
以上のように、本発明によれば、より精度良くスランプを測定し得るスランプ試験用シート、スランプ試験器具、及びスランプ試験方法を提供することができる。
【図面の簡単な説明】
【００２１】
【図１】一実施形態に係るスランプ試験用シートの正面図。
【図２】（ａ）一実施形態のスランプ試験器具のスランプ板の正面図、（ｂ）スランプコーンが引き抜かれた後のスランプ板の正面図。
【図３】本実施形態のスランプ試験方法の概略図。
【図４】（ａ）スランプコーンの側面図、（ｂ）スランプコーンの平面図。
【図５】スランプコーンの斜視図。
【図６】従来のスランプ試験方法の概略図。
【発明を実施するための形態】
【００２２】
以下、添付図面を参照しつつ、本発明の一実施形態について説明する。
【００２３】
図１に示すように、本実施形態のスランプ試験用シート１は、スランプコーン内のフレッシュコンクリートの上面に配されるようにスランプコーンの上端開口部内に収まる大きさに形成されてなり、スランプコーン内のフレッシュコンクリートの上面に配された際に該上面の中央部を示すシート目印１１が設けられてなる。
【００２４】
詳しくは、本実施形態のスランプ試験用シート１は、前記シート目印１１として開口部が設けられてなる。本実施形態のスランプ試験用シート１は、前記シート目印１１たる開口部が円形状に形成され、該開口部の直径が、例えば５〜３５ｍｍ、好ましくは１０〜３０ｍｍとなるように形成されてなる。
【００２５】
また、本実施形態のスランプ試験用シート１は、外周が円形状に形成されてなる。本実施形態のスランプ試験用シート１の直径は、スランプコーンの上端開口部（直径：１００ｍｍ）と同じ大きさ又はそれよりも小さく形成されてなり、例えば、８５〜９９ｍｍ、好ましくは、９０〜９５ｍｍとなるように形成されてなる。
【００２６】
また、本実施形態のスランプ試験用シート１は、厚さが、好ましくは０．０５〜０．３ｍｍ、より好ましくは０．１〜０．２ｍｍとなるように形成されてなる。
【００２７】
さらに、本実施形態のスランプ試験用シート１の材料としては、本発明の効果を損ねない範囲であれば特に限定されるものではないが、例えば、ポリアミド（例えば、ナイロン等）、ポリエステル（例えば、ポリエチレンテレフタレート等）等の合成繊維や、植物繊維（パルプ等）が挙げられ、この中で、好ましくは、パルプが挙げられる。本実施形態のスランプ試験用シート１は、該材料がパルプであることにより、剛性が比較的小さくなるため、コンクリートとの密着力が高まり、該スランプコーンを鉛直に引き抜いた際にフレッシュコンクリート上面の中央部からシート目印１１がずれてしまう虞が抑制され、より一層精度良くスランプを測定し得るという利点がある。また、パルプは比較的軽量であるため、該スランプ試験用シート１自体の重さによってスランプの測定に影響を及ぼしてしまう虞も抑制される。
【００２８】
本実施形態のスランプ試験用シート１は、上記の如く構成されてなるが、次ぎに、本実施形態のスランプ試験器具について説明する。
【００２９】
本実施形態のスランプ試験器具は、本実施形態のスランプ試験用シート１と、スランプコーンと、スランプコーンにコンクリートを詰める際にスランプコーンが設置されるスランプ板とを備えてなる。
【００３０】
図２に示すように、前記スランプ板２には２本の交わる直線２１、詳しくは直交する２本の直線２１が表示されてなる。そして、該２本の直線２１は、交差点がスランプコーンの設置位置の中心点を指し示し得るように、詳しくは、交差点が前記スランプ板２の中央部又はその近傍に位置するように配されている。
【００３１】
また、前記スランプ板２には、前記交わる直線２１に平行し且つ該交わる直線２１の両側に所定間隔を有するように配された平行直線２２がそれぞれ表示されてなる。
【００３２】
さらに、前記スランプ板２には、前記スランプコーンの下端の外周と同じ大きさであり且つ前記交差点が中心となる円２３が表示されてなる。
【００３３】
前記スランプコーンとしては、ＪＩＳ  Ａ  １１０１「コンクリートのスランプ試験方法」に規定されているものが挙げられる。
【００３４】
本実施形態のスランプ試験器具は、上記の如く構成されてなるが、次ぎに、本実施形態のスランプ試験方法について説明する。
【００３５】
本実施形態のスランプ試験方法では、スランプコーンの上端開口部に合わされたフレッシュコンクリートの上面に本実施形態のスランプ試験用シート１を配し前記スランプコーンを鉛直に引き抜いて、フレッシュコンクリートのスランプを測定する。
【００３６】
具体的には、図３に示すように、前記スランプコーン４の中心軸が前記２本の直線２１の交差点上に位置するように前記スランプコーン４を前記スランプ板２上に載置し、該スランプコーン４の上端開口部からフレッシュコンクリート３を詰めてフレッシュコンクリート３の上面を前記上端開口部に合わせる詰め込み工程と、該フレッシュコンクリート３の上面に本実施形態のスランプ試験用シート１を載置するシート載置工程と、本実施形態のスランプ試験用シート１を載置したまま前記スランプコーン４を鉛直に引き抜いて、フレッシュコンクリート３のスランプを測定するスランプ測定工程とを実施する。
【００３７】
本実施形態のスランプ試験用シート、スランプ試験器具、及びスランプ試験方法は、上記のように構成されているので、以下の利点を有するものである。
【００３８】
即ち、本実施形態のスランプ試験器具は、前記２本の交わる線２１が直交することにより、スランプコーンの設置位置の中心の把握がより一層容易となる。その結果、スランプコーンを引き抜いた後のフレッシュコンクリートの上面の中央部と、スランプコーンを引き抜く前のスランプコーンの中心軸との位置関係の把握がより一層容易となり、該中央部と該中心軸との間の距離の把握がより一層容易となるため、フレッシュコンクリートの上面の中央部が基準範囲（例えば、該中心軸から５ｃｍ以内）から外れた状態において測定したスランプを採用してしまう虞を抑制することができ、より一層精度良くスランプを測定し得るという利点がある。
また、斯かるスランプ試験器具によれば、不要に再試験をしてしまうことがより一層抑制され、作業性がより一層向上され得るという利点もある。
【００３９】
尚、本実施形態のスランプ試験用シート、スランプ試験器具、及びスランプ試験方法は、上記構成を有するものであったが、本発明のスランプ試験用シート、スランプ試験器具、及びスランプ試験方法は、上記構成に限定されず、適宜設計変更可能である。
【００４０】
即ち、本実施形態のスランプ試験方法では、前記スランプ測定工程に於いて、本実施形態のスランプ試験用シート１を載置したまま前記スランプコーン４を鉛直に引き抜いて、フレッシュコンクリート３のスランプを測定するが、前記シート目印１１としての開口部からフレッシュコンクリート３に着色剤を塗布し該上面から本実施形態のスランプ試験用シート１を取り除いた後に、前記スランプコーン４を鉛直に引き抜いてフレッシュコンクリート３のスランプを測定してもよい。
【００４１】
斯かるスランプ試験方法は、フレッシュコンクリート３の上面の中央部に直接目印を付けずにフレッシュコンクリート３の上面に該スランプ試験用シート１を配したまま該スランプコーン４を引き抜く場合と異なり、該スランプコーン４を鉛直に引き抜いた際にフレッシュコンクリート３の上面の中央部の位置からシート目印１１がずれてしまい、該中央部の位置が判別できなくなることが防止されるため、より一層精度良くスランプを測定し得るという利点がある。
【００４２】
前記着色剤としては、フレッシュコンクリート３を着色し得る顔料を含有してなるものを用いることができ、前記顔料としては、白色顔料（例えば、二酸化チタン、鉛白、亜鉛華等）、赤色顔料（例えば、鉛丹、酸化鉄赤等）、青色顔料（例えば、ウロトラマリン青、プロシア青等）、黒色顔料（例えば、カーボンブラック等）等が挙げられる。
【００４３】
また、本実施形態のスランプ試験用シート１は、前記シート目印１１として開口部が設けられてなるが、本発明に於いては、前記シート目印１１として、着色剤が塗布され得るように形成された中央部が備えられてなるものであってもよい。
【００４４】
斯かるスランプ試験用シート１を用いる場合に於いては、前記シート目印１１に着色剤を塗布し、塗布された部分がフレッシュコンクリート３に接するようにスランプコーン４内のフレッシュコンクリート３の上面に該スランプ試験用シート１を配置することによりフレッシュコンクリート３の上面の中央部に直接目印を付けてから、スランプコーン４を引き抜いてもよい。この場合、スランプ試験用シートは、スランプコーン４を引き抜いてから剥離してもよく、スランプコーン４を引き抜く前に剥離してもよい。
斯かるスランプ試験方法は、フレッシュコンクリート３の上面の中央部に直接目印を付けずにフレッシュコンクリート３の上面に該スランプ試験用シート１を配したまま該スランプコーン４を鉛直に引き抜く場合と異なり、該スランプコーン４を鉛直に引き抜いた際にフレッシュコンクリート３の上面の中央部の位置からシート目印１１がずれて該中央部の位置が判別できなくなることが防止されるため、より一層精度良くスランプを測定し得るという利点がある。
【符号の説明】
【００４５】
１：スランプ試験用シート、２：スランプ板、３：フレッシュコンクリート、４：スランプコーン、１１：シート目印、２１：交わる直線、２２：平行直線、２３：円、１０１：スランプコーン、１０１ａ：上端開口部、１０２：スランプ板、１０３：フレッシュコンクリート
【図１】
2010276413.tif 000003
【図２】
2010276413.tif 000004
【図３】
2010276413.tif 000005
【図４】
2010276413.tif 000006
【図５】
2010276413.tif 000007
【図６】
2010276413.tif 000008